(57)【特許請求の範囲】
【請求項１】
同軸給電線先端の中心導体を、使用周波数の概１／４波長の長さ分だけ外皮導体から突出させることにより形成された放射素子と、
使用周波数の概１／４波長の長さを有し、一端が前記同軸給電線の前記放射素子側の外皮導体先端部に接続されて、前記同軸給電線の周囲に配置される分岐導体と、
により構成されるアンテナ部を備えたスリーブアンテナにおいて、
前記アンテナ部の前記放射素子とは反対側から引き出されて前記アンテナ部への給電を行うのに用いられる同軸給電線を、前記使用周波数の概１／２波長の長さ分だけ折り返すことにより、折り返し部を形成し、該折り返し部の折り返し開始部と折り返し終了部とで、当該同軸給電線の外皮を近接させたことを特徴とするスリーブアンテナ。
【請求項２】
前記放射素子を構成する前記同軸給電線の中心導体は、誘電体により保護されていることを特徴とする請求項１に記載のスリーブアンテナ。
【請求項３】
前記アンテナ部を傾動自在に支持する支持部と、平面や壁面に取付可能な支持台とで構成された支持装置、
を備えたことを特徴とする請求項１又は請求項２に記載のスリーブアンテナ。
【請求項４】
前記支持装置の支持部又は支持台には、前記折り返し部を収納する空間が設けられ、
前記支持装置の支持台には、概略支持台の大きさとなるよう構成された反射板が収納されていることを特徴とする請求項３に記載のスリーブアンテナ。
【請求項５】
前記支持装置は、前記支持部に対し前記アンテナ部を前記支持台と平行になるよう傾動させた際、前記支持台が、前記アンテナ部の支持部側よりも先端側へより大きく突出されて、前記アンテナ部と対向するよう構成されていることを特徴とする請求項３又は請求項４に記載のスリーブアンテナ。
【発明の詳細な説明】
【０００１】
【発明の属する技術分野】
本発明は、スリーブアンテナに関する。
【０００２】
【従来の技術】
従来、スリーブアンテナにおいては、同軸給電線をスリーブアンテナに対して真下に垂らして特性を維持していたが、例えば無線ＬＡＮに使用するような場合には、スリーブアンテナを平面に置いたり壁面に取付けて使用するため、アンテナ部が支持装置に対して傾動出来る必要が有る。
また、スリーブアンテナにおいては、デザイン的な面から、同軸給電線を支持装置の内部に配線する必要が生じてきたが、デザインによっては、同軸給電線の配置や、アンテナ部を傾動した時の状態により、アンテナの特性が劣化するような構成となっていた。
【０００３】
【発明が解決しようとする課題】
このように、従来のスリーブアンテナにおいては、同軸給電線の配置や、アンテナ部を傾動した時の状態により、アンテナの特性が安定するような構成とはなっていなかった。
本発明は、こうした問題点に鑑みなされたものであり、同軸給電線の配置や、アンテナ部の傾動による特性の劣化をなくすことのできるスリーブアンテナを提供することを目的とする。
【０００４】
【課題を解決するための手段】
かかる目的を達成するためになされた請求項１に記載の発明は、
同軸給電線先端の中心導体を、使用周波数の概１／４波長の長さ分だけ外皮導体から突出させることにより形成された放射素子と、
使用周波数の概１／４波長の長さを有し、一端が前記同軸給電線の前記放射素子側の外皮導体先端部に接続されて、前記同軸給電線の周囲に配置される分岐導体と、
により構成されるアンテナ部を備えたスリーブアンテナにおいて、
前記アンテナ部の前記放射素子とは反対側から引き出されて前記アンテナ部への給電を行うのに用いられる同軸給電線を、前記使用周波数の概１／２波長の長さ分だけ折り返すことにより、折り返し部を形成し、該折り返し部の折り返し開始部と折り返し終了部とで、当該同軸給電線の外皮を近接させたことを特徴とする。
【０００５】
請求項２に記載の発明は、請求項１に記載のスリーブアンテナにおいて、
前記放射素子を構成する前記同軸給電線の中心導体は、誘電体により保護されていることを特徴とする。
【０００６】
請求項３に記載の発明は、請求項１又は請求項２に記載のスリーブアンテナにおいて、
前記アンテナ部を傾動自在に支持する支持部と、平面や壁面に取付可能な支持台とで構成された支持装置、を備えたことを特徴とする。
【０００７】
請求項４に記載の発明は、請求項３に記載のスリーブアンテナにおいて、
前記支持装置の支持部又は支持台には、前記折り返し部を収納する空間が設けられ、
前記支持装置の支持台には、概略支持台の大きさとなるよう構成された反射板が収納されていることを特徴とする。
【０００８】
請求項５に記載の発明は、請求項３又は請求項４に記載のスリーブアンテナにおいて、
前記支持装置は、前記支持部に対し前記アンテナ部を前記支持台と平行になるよう傾動させた際、前記支持台が、前記アンテナ部の支持部側よりも先端側へより大きく突出されて、前記アンテナ部と対向するよう構成されていることを特徴とする。
【０００９】
【発明の実施の形態】
以下に、本発明の実施形態を、図面を用いて説明する。
図１は本発明が適用された実施形態のスリーブアンテナの構成を表すＢ−Ｂ詳細断面図（Ｂ−Ｂは図３参照）、図２は図１のスリーブアンテナから化粧ケースをはずしたアンテナ部の状態を表す説明図、図３はアンテナ部の詳細構成を表すＡ−Ａ詳細断面図（Ａ−Ａは図２参照）、図４は実施形態のスリーブアンテナの外観を表す斜視図、図５は壁面取付時のスリーブアンテナの外観を表す斜視図、図６は壁面取付時のスリーブアンテナの側面を表す側面図、である。
【００１０】
図１〜図３に示すように、本実施形態のスリーブアンテナは、アンテナ部２５（図５、図６参照）として、同軸給電線１の先端から概１／４波長の長さで、当該同軸給電線１の外皮１６と外皮導体２９を取り除くことにより、中心導体２と当該中心導体２を取りまく誘電体３とで形成された放射素子４と、同軸給電線１の外皮導体２９の先端部に固定された分岐導体５とを備える。
分岐導体５は、同軸給電線１と平行に、同軸給電線１を対称軸として対向配置した２組の導電性板体６から成り、双方は互いに直交配置されて上部で互いに連結され連結部７を構成している。導電性板体６は使用周波数の概１／４波長の長さで形成され、連結部７は中央に挿通孔を持つ。
【００１１】
本実施形態の分岐導体５の組付け手順を詳細に説明する。
まず、同軸給電線１にフェルール８を挿通させる。同軸給電線１にはまた金属製の連結部材９を固定する。
連結部材９には、分岐導体５の連結部７を載置する円盤状台座１０が設けられており、その中央部には略円柱状の突起１１が形成され、突起１１には止め具であるＥリング１２を装着する溝が形成されている。そして、中央に放射素子４を挿通する挿通孔１３が形成され、連結部材９の下面には放射素子４を挿通して給電線端部に挿入する挿入筒１４が形成されている。
当該連結部材９の挿入孔１３に放射素子４を挿通し、当該連結部材９を上記外皮導体２９の先端と当接させるよう挿入筒１４を同軸給電線１の外皮導体１９と誘電体３との間に挿入し、挿入後は上記挿入筒１４上に上記フェルール８を配置して連結部材９をかしめ固定する。
上述の分岐導体５は、上記のように固定された連結部材９に連結部７を載置し、連結部材９の台座１０の上部の溝にＥリング１２を装着することで固定され、電気的にも外皮導体２９と接続される。
【００１２】
次に、同軸給電線１の折り返し部について説明する。
アンテナ部２５は樹脂等でできた化粧ケース１５に収められている。また、アンテナ部２５は傾動自在になるよう支持装置１７に枢着されている。支持装置１７は、支持部１８と、平面や壁面に取付可能な支持台１９で構成されており、アンテナ部２５から引き出された同軸給電線１を配線する空間２２を持つ。
支持装置１７に配線された同軸給電線１は、概略１／２波長の長さを折り返し、折り返し開始部２０と折り返し終了部２１とを近接させた折り返し部２３を持ち、支持部１８の空間２２に保持される。残りの同軸給電線１は、支持装置１７の支持部１８、支持台１９を通って、支持台１９の下面に設けられた略Ｕ字型の溝２３に保持されて出力される。
同軸給電線１は、急激に曲げると、電圧定在波比や減衰量の周波数特性が劣化する。これを防止するため、本実施形態では、折り返し部２３を配線する空間は支持装置１７の支持部１８に設けられている。
尚、支持台１９に折り返し部２３を配線する空間を設けても良いが、スリーブアンテナの小型化を考慮すると、同軸給電線１の急激な曲げが必要となる化粧ケース１５に折り返し部２３を設けることはできない。
【００１３】
スリーブアンテナは、上記分岐導体６の長さを概ね１／４波長とすることで、当該分岐導体６と同軸給電線１の外皮導体２９の外側とで形成する回路のインピーダンスが無限大となることを利用して、外被導体２９の外側に流れる電流を阻止させる作用を持つように構成される。
そして、本実施形態では、同軸給電線１に上記折り返し部２３を設けることで、同軸給電線１への漏洩電流をより効果的に阻止し、同軸給電線１の配置による特性の劣化を抑えている。
【００１４】
また、支持装置１７の支持台１９には、概略支持台１９の大きさとなるよう構成された、鋼板でできた反射板２４を収納している。反射板２４は支持台１９を安定して設置するための重りの役割だけで無く、アンテナ部２５を壁面に設置した時のアンテナ反射器として機能するよう構成されている。
そして、支持装置１７は、アンテナ部２５を支持台１９と平行となるように傾動させた際、支持台１９が、アンテナ部２５の支持部１８側よりもアンテナ部２５の先端側により大きく突出して、アンテナ部２５と対向するようにされている（図５、図６参照）。
【００１５】
尚、本発明は上記実施の形態に限定されるものではなく、本発明の趣旨を逸脱しない範囲で各部の配置や形状を適宜に変更して実施することも可能である。
【００１６】
【発明の効果】
以上詳述したように、請求項１に記載のスリーブアンテナによれば、アンテナ部の放射素子とは反対側から引き出された給電用の同軸給電線を、使用周波数の概１／２波長の長さ分だけ折り返すことにより、折り返し部を形成し、該折り返し部の折り返し開始部と折り返し終了部とで同軸給電線の外皮を近接させていることから、漏洩電流をより効果的に阻止し、同軸給電線の配置による特性の劣化を抑えることができる。
【００１７】
また、請求項２に記載のスリーブアンテナによれば、放射素子を構成する同軸給電線の中心導体が、誘電体により保護されているので、中心導体の変形を防止できる。
【００１８】
また、請求項３に記載のスリーブアンテナによれば、アンテナ部を傾動自在に支持する支持部と、平面や壁面に取付可能な支持台とで構成された支持装置を有することから、平面や壁面にも設置可能となる。
【００１９】
また、請求項４に記載のスリーブアンテナによれば、支持装置の支持部又は支持台には、同軸給電線の折り返し部を収納する空間が設けられ、支持装置の支持台には、概略支持台の大きさとなるよう構成された反射板が収納されている。また、請求項５に記載のスリーブアンテナによれば、支持部に対しアンテナ部を支持台と平行になるよう傾動させた際、支持台が、アンテナ部の支持部側よりも先端側へより大きく突出されて、アンテナ部と対向するように構成されている。
このため、請求項４、５に記載のスリーブアンテナによれば、スリーブアンテナを壁面に取付けたときに支持台を反射板として機能させ、特性を向上させることができる。
【図面の簡単な説明】
【図１】実施形態のスリーブアンテナの構成を表すＢ−Ｂ詳細断面図（Ｂ−Ｂは図３参照）である。
【図２】化粧ケースをはずしたアンテナ部の状態を表す説明図である。
【図３】アンテナ部の詳細構成を表すＡ−Ａ断面図（Ａ−Ａは図２参照）である。
【図４】実施形態のスリーブアンテナの外観を表す斜視図である。
【図５】壁面取付時のスリーブアンテナの外観を表す斜視図である。
【図６】壁面取付時のスリーブアンテナの側面を表す側面図である。
【符号の説明】
１…同軸給電線、２…中心導体、３…誘電体、４…放射素子、５…分岐導体、６…導電性板体、７…取付部、８…フェルール、９…連結部材、１０…台座、１１…突起、１２…Ｅリング、１３…挿通孔、１４…挿通筒、１５…化粧ケース、１６…外皮、１７…支持装置、１８…支持部、１９…支持台、２０…折り返し開始部、２１…折り返し終了部、２２…空間、２３…折り返し部、２４…反射板、２５…アンテナ部、２６…壁面、２７…壁面取付ビス、２８…壁面取付孔、２９…外皮導体。
【図１】
0004723123.tif 000002
【図２】
0004723123.tif 000003
【図３】
0004723123.tif 000004
【図４】
0004723123.tif 000005
【図５】
0004723123.tif 000006
【図６】
0004723123.tif 000007